(57)【要約】【目的】  ディスプレイ装置の過熱を防止し、長期に亙って良質な広告映像を映し出すことのできる路面広告システムを提供する。【構成】  上部開口部８Ａが光透過性の耐圧板４により被覆されるケーシング８の内部にディスプレイ装置３を収容し、そのディスプレイ装置３に表示される映像を建物内の床面又は屋内外の通路面を形成する耐圧板４を通して視認可能とした路面広告システムである。特に、係るシステムには、ケーシング８内に外気を流入させるための送気ダクト１０、ケーシング８内の空気を外部に流出させるための排気ダクト１１、及び送気ダクト１０からケーシング８内を通って排気ダクト１１に向かう気流を発生するためのファン１２，１３とを具備して成る空冷手段が設けられる。これにより、ディスプレイ装置３の過熱を防止することができる。【選択図】  図２
0003101816.tif 000002
【実用新案登録請求の範囲】
【請求項１】
上部開口部が光透過性の耐圧板により被覆されるケーシングの内部にディスプレイ装置を収容し、そのディスプレイ装置に表示される映像を建物内の床面又は屋内外の通路面を形成する前記耐圧板を通して視認可能とした路面広告システムにおいて、前記ケーシングの内部を冷却する空冷手段を備えたことを特徴とする路面広告システム。
【請求項２】
空冷手段は、ケーシング内に外気を流入させるための送気ダクトと、ケーシング内の空気を外部に流出させるための排気ダクトと、前記送気ダクトからケーシング内を通って排気ダクトに向かう気流を発生するためのファンとを具備して成る請求項１記載の路面広告システム。
【請求項３】
ファンが送気ダクト及び排気ダクトの少なくとも一方に取り付けられる請求項２記載の路面広告システム。
【請求項４】
ケーシングの内部には隔壁によってディスプレイ装置を収容するための区画領域が形成され、その区画領域はディスプレイ装置の回りに空気を流通されるための空間を形成し、前記隔壁には空気流入口と空気流出口が形成され、その空気流入口と空気流出口にファンが取り付けられると共に、前記区画領域の外側には一端が送気ダクトに連通する流入路と一端が排気ダクトに連通する流出路とが形成され、前記流入路は区画領域内と空気流入口で連通され、前記流出路は区画領域内と空気流出口で連通される請求項２記載の路面広告システム。
【請求項５】
ケーシングの内部に温度センサが設けられ、その温度センサによる検出温度が設定値を越えたときにファンが作動することを特徴とする請求項２、３、又は４記載の路面広告システム。
【考案の詳細な説明】
【技術分野】
【０００１】
本考案は、歩行者が通行する建物内の床面や屋内外の通路面を利用して宣伝広告を行えるようにした路面広告システムに係わり、特に係るシステムに用いられるディスプレイ装置の過熱を防止する機能を備えた路面広告システムに関する。
【背景技術】
【０００２】
従来、商品や興行物を一般に広く知らしめる広告手段として、テレビ、ラジオ、新聞、又は雑誌などが利用されてきたが、中でもテレビは動画によって多くの情報を一度に配信できるので大きな宣伝効果を得ることができる。その種のディスプレイ装置の多くは室内に配置され、屋外用の大画面ディスプレイでは建物の壁面に吊り下げたり埋め込んだりしているが、建物の外壁をはじめとする地上には既に多くのチラシや看板などが掲げられているため特定の情報を通行人に注目させることは甚だ困難な実情にある。
【０００３】
そこで、歩行者が通行する建物内の床面や屋内外の通路面を利用して宣伝広告を行うという画期的なシステムが提案されている。
【０００４】
係るシステムとして、人が通行する通路表面に形成される透明積層ガラスと、通路に人が進入したことを感知する感知センサ部と、その出力信号に応じて広告画像及び広告音声の出力を決定してシステム全体の動作を制御するマイコンと、その制御信号に応じて広告画像を出力するディスプレイ部、及び広告音声を出力する音声出力部と、その広告画像データ及び音声広告データを格納するメモリ部とを有して成る路面広告システムが知られている（例えば、特許文献１）。
【０００５】
【特許文献１】特開２００２−９１３５８号公報
【考案の開示】
【考案が解決しようとする課題】
【０００６】
然し乍ら、特許文献１などに開示される従来の路面広告システムによれば、路面下にディスプレイ装置（ディスプレイ部）が埋め込まれ、その埋め込み部分が通路表面を形成する透明積層ガラスにより密閉されるため、ディスプレイ装置の駆動により内部が過熱し、ディスプレイ装置に内蔵される電子機器に支障を来すという問題がある。
【０００７】
本考案は以上のような事情に鑑みて成されたものであり、その目的はディスプレイ装置の過熱を防止し、長期に亙って良質な広告映像を映し出すことのできる路面広告システムを提供することにある。
【課題を解決するための手段】
【０００８】
本考案は上記の目的を達成するため、上部開口部が光透過性の耐圧板により被覆されるケーシングの内部にディスプレイ装置を収容し、そのディスプレイ装置に表示される映像を建物内の床面又は屋内外の通路面を形成する前記耐圧板を通して視認可能とした路面広告システムにおいて、前記ケーシングの内部を冷却する空冷手段を備えたことを特徴とする。
【０００９】
更に、以上のような路面広告システムにおいて、空冷手段はケーシング内に外気を流入させるための送気ダクトと、ケーシング内の空気を外部に流出させるための排気ダクトと、前記送気ダクトからケーシング内を通って排気ダクトに向かう気流を発生するためのファンとを具備して成り、しかも前記ファンが送気ダクト及び排気ダクトの少なくとも一方に取り付けられることを特徴とする。
【００１０】
又、ケーシングの内部には隔壁によってディスプレイ装置を収容するための区画領域が形成され、その区画領域はディスプレイ装置の回りに空気を流通されるための空間を形成し、前記隔壁には空気流入口と空気流出口が形成され、その空気流入口と空気流出口にファンが取り付けられると共に、前記区画領域の外側には一端が送気ダクトに連通する流入路と一端が排気ダクトに連通する流出路とが形成され、前記流入路は区画領域内と空気流入口で連通され、前記流出路は区画領域内と空気流出口で連通されることを特徴とする。
【００１１】
加えて、ケーシングの内部に温度センサが設けられ、その温度センサによる検出温度が設定値を越えたときにファンが作動するようにしたことを特徴とする。
【考案の効果】
【００１２】
本考案に係る路面広告システムによれば、ディスプレイ装置を収容するケーシングの内部が空冷手段により冷却されるため、ディスプレイ装置の過熱を防止し、その過熱による電子機器類の故障を防止して長期に亙って良質な広告映像を提供することができる。
【００１３】
特に、係る空冷手段がケーシング内に外気を流入させるための送気ダクトと、ケーシング内の空気を外部に流出させるための排気ダクトと、送気ダクトからケーシング内を通って排気ダクトに向かう気流を発生するためのファンとを具備して成ることから、ケーシング内に外気を供給しながらケーシング内の加熱空気を好適に追い出すことができる。
【００１４】
又、ケーシングの内部には隔壁によってディスプレイ装置を収容するための区画領域が形成され、その区画領域はディスプレイ装置の回りに空気を流通されるための空間を形成し、隔壁には空気流入口と空気流出口が形成され、その空気流入口と空気流出口にファンが取り付けられると共に、区画領域の外側には一端が送気ダクトに連通する流入路と一端が排気ダクトに連通する流出路とが形成され、このうち流入路は区画領域内と空気流入口で連通され、流出路は区画領域内と空気流出口で連通されることから、ディスプレイ装置周辺の換気効果を格段に上げることができる。
【００１５】
更に、ケーシングの内部に温度センサが設けられ、その温度センサによる検出温度が設定値を越えたときにファンが作動するようにしたことから、ケーシング内が設定温度以下のときにファンを停止させて節電効果を上げることができる。
【考案を実施するための最良の形態】
【００１６】
以下、本考案を図面に基づいて詳しく説明する。先ず、図１において係る路面広告システムの基本的構成を説明する。１は制御部１Ａと記憶部１Ｂとを有する制御装置であり、その制御装置１には外部のサーバ２などから映像データと音声データとが送信され、その映像データと音声データが制御部１Ａを介して記憶部１Ｂに格納される構成としてある。
【００１７】
３は記憶部１Ｂに格納された映像データを広告映像として表示するディスプレイ装置であり、このディスプレイ装置３は表示画面を上向きにして建物の床下や屋内外の通路下に配置され、その上部には通行人が載り得る建物内の床面又は屋内外の通路面を形成する光透過性の耐圧板４が配置される。
【００１８】
尚、ディスプレイ装置３としてはプラズマディスプレイ(PDP：Plasma Display Panel)が好適に用いられ、そのほか液晶ディスプレイ、ブラウン管、又は有機ＥＬなどを用いることもできる。一方、耐圧板４は光透過性と所定の強度を有していればよく、これには強化ガラスをはじめ、これを張り合わせた積層ガラス（防弾ガラス）、又は透明なプラスチック板（繊維強化プラスチック）などを用いることができる。
【００１９】
５は記憶部１Ｂに格納された音声データを出力する音声出力装置（スピーカ）であり、係る音声出力装置５はディスプレイ装置３の配置部分近傍における路面上などに設置される。
【００２０】
又、６はディスプレイ装置３の付近に通行人が進入したことを検知するセンサであり、これは耐圧板４の長さ方向両端部に配置される。尚、係るセンサ６には感圧スイッチなどの接触形、又は近接スイッチや光電スイッチなどの非接触形が用いられ、その出力信号に基づいてディスプレイ装置３と音声出力装置５が駆動される構成とされるが、そのセンサ６を省略してディスプレイ装置３や音声出力装置５を手動操作でＯＮ／ＯＦＦしたり、そのＯＮ／ＯＦＦを制御装置１内のシステムタイムにより制御するようにしてもよい。
【００２１】
又、７はディスプレイ装置の近傍に設けられる温度センサであり、これによる検出温度が設定値を越えたときには制御部１Ａを介して後述の空冷手段を構成するファンが作動するようになっている。
【実施例１】
【００２２】
図２は、三台のディスプレイ装置３を用いた例である。図２において、８はディスプレイ装置を収容する矩形状のケーシングであり、その内部には三台のディスプレイ装置３が直列状にして収容される。尚、ケーシング８はステンレス鋼などの耐食性を有する部材から形成され、その内部には制御装置１から延びるケーブル９が通されてその先端が各ディスプレイ装置３に接続されるが、制御装置１をケーシング８の内部に収容することもできる。
【００２３】
又、ケーシング８には送気ダクト１０と排気ダクト１１が接続されると共に、その各ダクト１０，１１には上記のファン１２，１３が取り付けられてケーシング８の内部を冷却する空冷手段を構成する。尚、送気ダクト１０と排気ダクト１１はその各一端が床下や路面下に埋設されてケーシング８に接続され、それらの他端側は路面上の柱などに沿って地上に導出される。
【００２４】
そして、係る空冷手段によれば、ファン１２（送風機）の作動により送気ダクト１０を通じてケーシング８内に外気が強制的に流入せしめられる一方、ファン１３（排風機）の作動によりケーシング８内の加熱空気が排気ダクト１１を通じて外部に流出される。尚、ファン１２，１３は何れか一方を省略することができ、一方のファン１２又は１３だけでも送気ダクト１０からケーシング８内を通って排気ダクト１１に向かう気流を発生せしめてケーシング８内を冷却することができる。
【００２５】
但し、送気ダクト１０と排気ダクト１１はケーシング８の長さ方向における対辺部分あるいは対角部分に接続することが好ましく、これによってケーシング８内の全域に気流を発生させて換気効果を上げることができる。
【００２６】
図３及び図４は係る路面広告システムの設置状態を示した断面概略図（縦断面及び横断面）である。これらの図で明らかなように、ケーシング８の上部は開口部８Ａとされ、その開口縁には耐圧板４を支持するための段部８Ｂが形成される。そして、ディスプレイ装置３上で段部８Ｂにより支持された耐圧板４は、既設路面Ｗ（又は床面）と面一にして段差の無い通路面（又は床面）を形成する。
【００２７】
尚、段部８Ｂにはシリコンなどのシーリング材を設けて防水性が確保される。又、ディスプレイ装置３は、その底部がゴムなどの弾力性を有する支持部材１４により支持され、ケーシング８の内部にはディスプレイ装置３の回りに空気を流通させ得る空間Ｓが形成される。よって、送気ダクト１０を通じて送り込まれた外気は空間Ｓを通って排気ダクト１１から外部に排出される。このため、ディスプレイ装置３を長時間に亙って駆動し続けても、その過熱を防止することができる。ここに、図１に示した温度センサ７は、ケーシング８内の所定位置に配置され、これによる検出温度が設定値を越えたときにファン１２，１３が作動する構成とされる。尚、温度センサ７を省略してファン１２，１３をディスプレイ装置３の駆動時に作動させる構成としもよい。
【実施例２】
【００２８】
次に、図５〜図６は空冷手段の変更例を示す。尚、実施例１と変更なき部分には同一符号を付して詳細な説明を省略する。本例において、ケーシング８の内部には隔壁１５によって矩形状の区画領域１６が形成され、その内側にディスプレイ装置３が収容される構成としてある。係る区画領域１６はディスプレイ装置３の回りに空気を流通させるための空間Ｓを形成し、係る区画領域１６を形成する隔壁１５には空気流入口１７と空気流出口１８が形成される。
【００２９】
そして、本例によれば、空気流入口１７にファン１２（送風機）が取り付けられると共に、空気流出口１８にはファン１３（排風機）が取り付けられる。一方、区画領域１６の外側には一端が送気ダクト１０に連通する流入路１９と、一端が排気ダクト１１に連通する流出路２０とが形成され、このうち流入路１９は区画領域１６内と空気流入口１７で連通され、流出路２０は区画領域１６内と空気流出口１８で連通される。
【００３０】
尚、本例では図１に示した温度センサ７がケーシング８内における区画領域１６の内側に配置され、これによる検出温度が設定値を越えたときにファン１２，１３が作動する構成とされる。これにより、外気が送気ダクト１０を通じてケーシング８の内部に強制的に流入せしめられ、これが流入路１９を経由して空気流入口１７から区画領域１６内に送り込まれる一方、区画領域１６内の加熱空気は空気流出口１８から流出路２０を経て排気ダクト１１より外部に排出される。
【００３１】
特に、区画領域１６内ではディスプレイ装置３の回りで空間Ｓを通る気流が発生するため、ディスプレイ装置３を長時間に亙って駆動し続けても、その過熱を防止することができる。ここに、本例でもファン１２，１３の何れか一方を省略することができ、一方のファン１２又は１３だけでも送気ダクト１０からケーシング８内における区画領域１６内を通って排気ダクト１１に向かう気流を発生せしめてケーシング８内を冷却することができる。
【００３２】
以上、本考案を図面に基づいて説明したが、係る路面広告システムは図示例に限らず、例えばディスプレイ装置を一台のみ備えた構成としてもよい。
【図面の簡単な説明】
【００３３】
【図１】本考案に係る路面広告システムの基本構造を示す説明図
【図２】本考案に係る路面広告システムの好適な態様を示した平面概略図
【図３】同システムの設置状態を示した縦断面図
【図４】同システムの設置状態を示した横断面図
【図５】本考案の係る路面広告システムの他の実施形態を示した平面概略図
【図６】同システムの設置状態を示した横断面図
【符号の説明】
【００３４】
１  制御装置
２  サーバ
３  ディスプレイ装置
４  耐圧板
５  音声出力装置
７  温度センサ
８  ケーシング
８Ａ  上部開口部
１０  送気ダクト
１１  排気ダクト
１２  ファン（給気用）
１３  ファン（排気用）
１５  隔壁
１６  区画領域
１７  空気流入口
１８  空気流出口
１９  流入路
２０  流出路
【図１】
0003101816.tif 000003
【図２】
0003101816.tif 000004
【図３】
0003101816.tif 000005
【図４】
0003101816.tif 000006
【図５】
0003101816.tif 000007
【図６】
0003101816.tif 000008